(57)【要約】【課題】  フェザー苗の養成に必要な苗木の側枝形成促進手段を提供する。また、カラムナーリンゴの新梢伸長促進手段を提供する。【解決手段】  果樹の当年枝をジベレリンと接触させる工程を含む果樹の処理方法であって、前記果樹が、リンゴ、オウトウ、又は西洋ナシである果樹の処理方法。【選択図】  なし【特許請求の範囲】
【請求項１】
果樹の当年枝をジベレリンと接触させる工程を含む果樹の処理方法であって、前記果樹が、リンゴ、オウトウ、又は西洋ナシである果樹の処理方法。
【請求項２】
果樹が、リンゴである請求項１に記載の果樹の処理方法。
【請求項３】
リンゴが、カラムナーリンゴである請求項２に記載の果樹の処理方法。
【請求項４】
果樹の当年枝をジベレリンと接触させる工程が、果樹の当年枝にジベレリン溶液を散布する工程である請求項１乃至３のいずれか一項に記載の果樹の処理方法。
【請求項５】
当年枝をジベレリンと接触させた果樹であって、前記果樹が、リンゴ、オウトウ、又は西洋ナシである果樹。
【請求項６】
果樹が、リンゴである請求項５に記載の果樹。
【請求項７】
リンゴが、カラムナーリンゴである請求項６に記載の果樹。
【発明の詳細な説明】
【技術分野】
【０００１】
本発明は、果樹の処理方法及び前記処理がされた果樹に関する。本発明の処理方法により、果樹の新梢伸長及び側枝形成を促進できる。
【背景技術】
【０００２】
リンゴやオウトウ等の新品種の果実を早期に市場へ供給するためには、フェザー苗（側枝を多数発生させた苗）を用いた早期成園化技術が有効であり、フェザー苗を効率的に作製するための側枝形成促進技術が求められている。フェザー苗の作製技術としては、リンゴやオウトウの1年生苗の新梢にベンジルアミノプリン液剤（商品名:ビーエー液剤）を散布処理する技術が開発・利用されている（非特許文献１、非特許文献２）。
【０００３】
また、日本ナシ、モモ、スモモ、温州ミカンの苗木の新梢伸長促進剤として、ジベレリン塗布剤（ジベレリン協和ペースト）が登録・利用されている（非特許文献３）。但し、ジベレリン塗布剤について、リンゴでの登録はない。
【先行技術文献】
【非特許文献】
【０００４】
【非特許文献１】小野剛史, 「新梢成長の制御−ベンジルアデニンを利用したリンゴの苗木生産−」, 植調 Vol. 41, No.9 (2007) 21-27
【非特許文献２】「リンゴ産地の早期再生を図る早期成園化・品質向上技術マニュアルver.2」, 編集・発行：岩手県農業研究センター
【非特許文献３】島田智人, 「ジベレリンペースト塗布剤を利用したナシの新梢伸長促進効果」, 果実日本 72(2), 61-65, 2017-02
【発明の概要】
【発明が解決しようとする課題】
【０００５】
上記のように、ベンジルアミノプリン液剤を散布することにより、フェザー苗を作製することは可能であるが、この方法では、苗木の養成に通常よりも1年多く時間を要するというデメリットがある。
【０００６】
このため、この方法に代わる、又はこの方法と併用可能な新たなフェザー苗の作製方法の開発が望まれていた。
【０００７】
本発明は、このような背景の下になされたものであり、フェザー苗の養成に必要な苗木の側枝形成促進手段を提供することを目的とするものである。
【課題を解決するための手段】
【０００８】
本発明者は、上記課題を解決するため鋭意検討を重ねた結果、リンゴの苗木にジベレリンを散布することにより、側枝形成が促進されることを見出した。ベンジルアミノプリンが側枝形成を促進することは知られており（非特許文献１及び２）、また、ジベレリンが新梢伸長を促進することは知られていたが（非特許文献３）、ジベレリンが側枝形成を促進することは知られておらず、ジベレリンにこのような効果があることは全く予想外のことであった。なお、非特許文献３には、ジベレリン処理により、日本ナシの苗木の新梢発生率が向上したという記載があるが（64頁中段7-11行）、この効果は、芽傷処理と組み合わせた場合にのみ生じており、ジベレリン処理単独ではむしろ新梢発生率が低下している（64頁表5及び65頁表6）。従って、非特許文献３は、ジベレリンの側枝形成促進効果を示唆するものではない。
【０００９】
また、本発明者は、リンゴの苗木の中でも、特にカラムナーリンゴ（円筒形の樹形を示すリンゴ）の苗木にジベレリンを散布することにより、新梢伸長が著しく促進されることを見出した。ジベレリンは日本ナシなどの苗木の新梢伸長促進剤として利用されているので、カラムナーリンゴに対してもある程度の新梢伸長促進効果を示すことは予想できたが、カラムナーリンゴにおいて観察された新梢伸長促進効果は、そのような予想を超える顕著なものであった。
【００１０】
本発明は、以上の知見に基づき完成されたものである。
即ち、本発明は、以下の（１）〜（７）を提供する。
【００１１】
（１）果樹の当年枝をジベレリンと接触させる工程を含む果樹の処理方法であって、前記果樹が、リンゴ、オウトウ、又は西洋ナシである果樹の処理方法。
【００１２】
（２）果樹が、リンゴである（１）に記載の果樹の処理方法。
【００１３】
（３）リンゴが、カラムナーリンゴである（２）に記載の果樹の処理方法。
【００１４】
（４）果樹の当年枝をジベレリンと接触させる工程が、果樹の当年枝にジベレリン溶液を散布する工程である（１）乃至（３）のいずれかに記載の果樹の処理方法。
【００１５】
（５）当年枝をジベレリンと接触させた果樹であって、前記果樹が、リンゴ、オウトウ、又は西洋ナシである果樹。
【００１６】
（６）果樹が、リンゴである（５）に記載の果樹。
【００１７】
（７）リンゴが、カラムナーリンゴである（６）に記載の果樹。
【発明の効果】
【００１８】
本発明は、新規な果樹の処理方法を提供する。本発明の処理方法により、果樹の新梢伸長及び側枝形成を促進できる。
【図面の簡単な説明】
【００１９】
【図１】圃場に定植した「McIntosh」の接ぎ木苗にジベレリン（GA3）を処理した時の側枝発生を示す図。(A)無処理区、(B)1mM GA3処理区。
【図２】圃場に定植した「Wijcik」の接ぎ木苗にジベレリン（GA3）を処理した時の新梢伸長を示す図。(A)無処理区、(B)1mM GA3処理区。
【発明を実施するための形態】
【００２０】
以下、本発明を詳細に説明する。
本発明の果樹の処理方法は、果樹の当年枝をジベレリンと接触させる工程を含むものである。
【００２１】
果樹としては、リンゴ、オウトウ、西洋ナシを挙げることができ、これらの中ではリンゴを好ましい果樹として挙げることができる。リンゴの種類は特に限定されないが、新梢伸長を目的とする場合は、カラムナーリンゴを使用することが好ましい。カラムナーリンゴは、円筒形の樹形を示すリンゴであり、リンゴ品種「McIntosh」の枝変わりとして発見された「Wijcik」由来のカラムナー遺伝子(Co遺伝子)を保有するリンゴである。カラムナーリンゴの品種としては、「Wijcik」を使用することもできるが、前記したカラムナー遺伝子を保有し、円筒形の樹形を示す品種であればどのような品種を用いてもよい。また、カラムナーリンゴの品種は市販されており（例えば、「メイポール」、「タスカン」など）、そのような市販の品種を使用することもできる。なお、本明細書における「リンゴ」、「オウトウ」、及び「西洋ナシ」の意味は、当業者が通常用いる意味に解釈することができるが、「リンゴ」とは、リンゴ属（Malus属）に属する果樹と定義することもでき、「オウトウ」とは、プルヌス ・アビウム（Prunus avium）に属する果樹と定義することもでき、「西洋ナシ」とは、パイラス・コミュニス（Pyrus communis）に属する果樹と定義することもできる。
【００２２】
当年枝とは、ジベレリン処理を行う年の春に発芽して伸長した枝である。当年枝に対するジベレリン処理の方法としては、例えば、１）接ぎ木後、発芽した当年枝にジベレリン処理をする方法、２）1年生枝を切り戻して、発芽した当年枝にジベレリン処理をする方法、３）成木の枝から発芽した当年枝にジベレリン処理をする方法などを挙げることができる。
【００２３】
ジベレリンは、新梢伸長促進効果及び／又は側枝形成促進効果を示すものであればどのようなものを使用してもよいが、通常はGA3を使用する。
【００２４】
ジベレリン処理の開始時期は、果樹の種類、果樹の生育状況、環境条件（温度など）などに応じて適宜選択すればよいが、通常は、発芽から150日以内に処理を開始する。また、発芽後15〜90日の間に処理を開始してもよく、発芽後30〜60日の間に処理を開始してもよい。
【００２５】
当年枝をジベレリンと接触させる方法は特に限定されず、例えば、当年枝にペースト状のジベレリンを塗布してもよいが、当年枝にジベレリン溶液を散布することが好ましい。
【００２６】
当年枝にジベレリン溶液を散布する場合、ジベレリン溶液の濃度は、果樹の種類、樹齢、ジベレリンの種類などに応じて適宜選択すればよいが、例えば、1μM〜10mMとすることができる。また、ジベレリン溶液の濃度は、10μM〜5mMとしてもよく、100μM〜3mMとしてもよく、500μM〜2mMとしてもよい。散布するジベレリン溶液の量も、果樹の種類、樹齢、ジベレリンの種類などに応じて適宜選択すればよいが、果樹の苗木に散布する場合であれば、苗木1本当たり1回につき、例えば、1μL〜1Lとすることができる。また、ジベレリン溶液の量は、10μL〜500mLとしてもよく、100μL〜100mLとしてもよく、1mL〜50mLとしてもよく、5mL〜10mLとしてもよい。散布回数も、果樹の種類、樹齢、ジベレリンの種類などに応じて適宜選択すればよいが、例えば、1〜60回とすることができる。また、散布回数は、10〜40回としてもよく、20〜30回としてもよい。散布間隔も、果樹の種類、樹齢、ジベレリンの種類などに応じて適宜選択すればよいが、例えば、1〜30日に一度散布とすることができる。また、散布間隔は、2〜20日に一度散布としてもよく、3〜7日に一度散布としてもよい。
【００２７】
本発明の果樹の処理方法は、新梢伸長や側枝形成を促進する他の処理方法と併用してもよい。例えば、果樹の苗木の新梢にベンジルアデニンを散布することにより、側枝形成が促進されることが知られているので（非特許文献１、非特許文献２）、このベンジルアデニン処理を、本発明の処理方法と併用してもよい。
【００２８】
本発明は、上記の果樹の処理方法の他に、この処理方法によって処理された果樹、即ち、当年枝をジベレリンと接触させた果樹も包含する。なお、本発明の果樹は、「物」であるにもかかわらず、構造や特性ではなく、「当年枝をジベレリンと接触させた」という製造方法によって特定していることになるが、これは、果樹が生物であるため、その構造や特性は極めて複雑であり、それらを特定する作業を行うことは、著しく過大な経済的支出や時間を必要とするからである。
【実施例】
【００２９】
以下に、実施例により本発明を更に詳細に説明するが、本発明はこの実施例に限定されるものではない。
【００３０】
＜材料及び方法＞
(1)植物材料
普通樹形を示すリンゴ品種「McIntosh」と、カラムナータイプ（円柱状）の樹形を示すリンゴ品種「Wijcik」を使用した。また、リンゴ台木品種「JM1」と「JM7」を使用した。
【００３１】
(2)ジベレリンとして、東京化成工業株式会社のGibberellin A3（GA3）を使用した。
【００３２】
(3)温室で栽培したリンゴ苗木へのジベレリン処理
2016年5月に、「McIntosh」と「Wijcik」の穂木を、鉢植えした「JM1」台木に切り接ぎし、窓を解放した温室で栽培した。伸長した新梢全体に、3種類の濃度（10 μM、100 μM、1 mM）のGA3水溶液を、3日に一度、葉に細かい水滴が付着する程度まで散布した。「McIntosh」と「Wijcik」の両方とも、2016年6月17日から11月5日まで処理した。新梢長・節間長・側枝数・側枝長は、伸長が停止した後に測定した。なお、0.5cm以上の長さの枝を側枝とした。
【００３３】
(4)圃場で栽培したリンゴ苗木へのジベレリン処理
2017年5月に、「McIntosh」と「Wijcik」の穂木を、農研機構リンゴ研究拠点の圃場に栽植してある「JM7」台木に切り接ぎし栽培した。伸長した新梢の先端約30cmの部分に、2種類の濃度（100 μM、1 mM）のGA3水溶液を、1週間に2度散布した。1回の散布量は、樹1本につき約12mLとした。「McIntosh」は2017年6月26日から9月2日まで、「Wijcik」は2017年6月20日から8月26日まで処理した。新梢長・節間長・側枝数・側枝長は、伸長が停止した後に測定した。なお、0.5cm以上の長さの枝を側枝とした。
【００３４】
＜結果＞
(1)温室で栽培したリンゴ苗木へのジベレリン処理の影響
「McIntosh」に100 μMと1 mMのGA3を処理した結果、水処理に比べて新梢長が約1.3倍長くなった。また、水処理では側枝が全く発生しなかったが、1 mMのGA3を処理した時、約6.5cmの側枝が5本程度発生した（表1）。
【００３５】
カラムナータイプの「Wijcik」に1 mMのGA3を処理した結果、水処理に比べて新梢長が約2.7倍、節間長が約1.3倍長くなった（表2）。
【００３６】
(2)圃場で栽培したリンゴ苗木へのジベレリン処理の影響
「McIntosh」に100 μMと1 mMのGA3を処理した結果、無処理に比べて新梢長が約1.2〜1.3倍長くなった。また、1 mMのGA3を処理した結果、無処理に比べて側枝数が約1.8倍に増加した（表3、図1）。
【００３７】
カラムナータイプの「Wijcik」に1 mMのGA3を処理した結果、無処理に比べて新梢長が約2.0倍、節間長が約1.5倍長くなった。また、1 mMのGA3を処理した結果、無処理に比べて側枝数が約2.7倍に、側枝長が約5.5倍に増加した（表4、図2）。
【００３８】
以上のように、接ぎ木当年のリンゴ新梢にGA3を処理することにより、新梢伸長と側枝形成を促進できることが明らかになった。特に、カラムナータイプのリンゴでは、新梢伸長の促進効果が顕著だった。
【００３９】
【表１】
2020080742.tif 000002
【表２】
2020080742.tif 000003
【表３】
2020080742.tif 000004
【表４】
2020080742.tif 000005
【産業上の利用可能性】
【００４０】
本発明は、果樹の処理方法に関するものなので、果樹の栽培に関連する産業分野において利用可能である。
【図１】
2020080742.tif 000006
【図２】
2020080742.tif 000007